(57)【要約】      （修正有）【課題】２つのクランプ部の間で締め付けられる、締め付け部を有するエラストマー部材が提供される。【解決手段】少なくとも１つのパネル材のためのクランプに関し、第１のクランプ部１および第２のクランプ部２を有する。クランプ部は、パネル材９０のための開位置および締め付け位置との間で、相互に調整されることができ、そしてパネル材９０を握持するためのＵ型の横断面を有する領域を有する、２つのクランプ部１，２の間に配置される、少なくとも１つのエラストマー部材１０、１０’を備える。クランプ部が締め付け位置にあるとき、２つのクランプ部の間でパネル材が締め付けられる。【選択図】図２
2012117672.tif 000002
【特許請求の範囲】
【請求項１】
第１のクランプ部（１）および第２のクランプ部（２）からなる、少なくとも１つのパネル材（９０）用のクランプであって、当該クランプ部（１、２）は、パネル材（９０）のため、開位置および締め付け位置との間で、相互に調整されることができ、２つの当該クランプ部（１、２）の間に、当該パネル材（９０）に設置するよう配置された、少なくとも１つのエラストマー部材（１０）を備えた、ものに於いて、
当該エラストマー部材（１０）は、当該クランプ部（１、２）が締め付け位置にあるときに２つの当該クランプ部（１、２）の間で締め付けられる締め付け部（１４）を有する、
ことを特徴とするクランプ。
【請求項２】
前記エラストマー部材（１０）は、前記プレート材（９０）を握持するためのＵ型の横断面を有する領域（１２）を有する、ことを特徴とする請求項１に記載のクランプ。
【請求項３】
前記第１のクランプ部（１）は、前記第１のクランプ部（１）から前記第２のクランプ部分（２）にまで延びるウェブ（２１）を有し、前記クランプ部（１、２）が締め付け位置にあるとき、前記締め付け部（１４）を締め付け、および／または、前記第２のクランプ部（２）は、前記第２のクランプ部（２）から前記第１のクランプ部分（１）にまで延びるウェブ（２２）を有し、前記クランプ部分（１、２）が締め付け位置にあるとき、前記締め付け部（１４）を締め付ける、ことを特徴とする請求項１または２に記載のクランプ。
【請求項４】
前記エラストマー部材（１０）は、Ｔ字状の横断面を有する領域（１７）を有し、前記締め付け部（１４）の少なくとも１つの部分は、Ｔ字状の前記領域（１７）の中央の脚部に置かれる、ことを特徴とする請求項１乃至３のいずれか１に記載のクランプ。
【請求項５】
前記２つのクランプ部（１、２）は、２つの前記ウェブ（２１、２２）と共に、挿入溝（２５）を形成し、そこに前記エラストマー部材（１０）の前記Ｔ字状の横断面を有する領域（１７）が収容される、ことを特徴とする請求項３または４に記載のクランプ。
【請求項６】
前記エラストマー部材（１０）は、前記締め付け部（１４）の近くに少なくとも１つの穴（１９）を有する、ことを特徴とする請求項１乃至５のいずれか１に記載のクランプ。
【請求項７】
前記第１のクランプ部（１）は、前記第１のクランプ部分（１）に対する前記第２のクランプ部分（２）の動きを制限する、前記第２のクランプ部分（２）に面する少なくとも１つの突出部（２９）を有し、締め付け位置にあるときは、第２のクランプ部分（２）に載置される、ことを特徴とする請求項１乃至６のいずれか１に記載のクランプ。
【請求項８】
前記エラストマー部材（１０）は、前記Ｕ型の横断面を有する領域（１２）に配置され、前記クランプ部（１，２）にあらかじめ張力をかける、弾力のあるリップ部（５）を有する、ことを特徴とする請求項１乃至７のいずれか１に記載のクランプ。
【請求項９】
ネジ（４０）が、２つの前記クランプ部（１、２）を貫通し、当該ネジ（４０）は、前記クランプをレール（４５）に固定するよう、レール・ナット（４１）で係止される、ことを特徴とする請求項１乃至８のいずれか１に記載のクランプ。
【発明の詳細な説明】
【技術分野】
【０００１】
本発明は、請求項１の前提部分による、少なくとも１つのパネル材用の、特に少なくとも１つの光起電モジュール、好ましくは薄層光起電モジュール（太陽光発電パネル）用のクランプに関する。一般的な形状のクランプは、第１のクランプ部および第２のクランプ部により構成され、クランプ部は、パネル材用に開位置および締め付け位置との間で相互に調整でき、２つのクランプ部の間にはパネル材を配設するための少なくとも１つのエラストマー（ゴム状の弾性力を有する材料）部材を備える。
【背景技術】
【０００２】
光起電モジュールのための一般的な形状のクランプは、特許文献１に開示されている。光起電モジュール用の他のクランプは特許文献2、特許文献3および特許文献４から知られている。
【０００３】
知られている光起電モジュール用のクランプでは、光起電モジュールがエラストマー部材の間に置かれ、そしてエラストマー部材は２つのクランプ部によって、光起電モジュールに押圧され、この結果光起電モジュールはクランプ部上に固定されている。
【０００４】
しかしながら、最高水準の技術によるクランプによっても、長期間に亘る使用の場合、十分な締め付け特性が得られないことが分かっている。
【先行技術文献】
【特許文献】
【０００５】
【特許文献１】国際公開第２００９／０８６１５０号
【特許文献２】欧州特許出願公開第２０９０８４７号明細書
【特許文献３】独国実用新案第２０２００９０１２８７０号明細書
【特許文献４】独国実用新案第２０２００９０１４０４８号明細書
【発明の概要】
【発明が解決しようとする課題】
【０００６】
本発明の目的は、特に長期間に亘る使用の場合でも、格別に信頼性の高いクランプを提供することである。
【課題を解決するための手段】
【０００７】
この目的は、本発明の請求項１の特徴を有するクランプにより達成される。好ましい実施態様は、従属クレームにおいて提案されている。
【０００８】
本発明のクランプは、エラストマー部材（profile）が締め付け部を有し、この締め付け部は、クランプ部が締め付け位置にあるときには、特にエラストマー部材がクランプ部に固定されるよう２つのクランプ部の間に締め付けられる、ことを特徴とする。エラストマー部材は、少なくとも部分的に、特に摩擦力による接続を有するクランプ部分上に固定され得る。
【０００９】
本発明の基本的な考え方は、エラストマー部材が締め付け部を有し、この締め付け部は、２つのクランプ部が締め付け位置にあるとき、２つのクランプ部によって、直接（すなわちパネル材を介してでなく）締め付けられる、ことである。この締め付けにより、エラストマー部材はクランプ部に機械的に固定される。それによって、例えば光電子モジュールとその支持構造の熱膨張係数が異なるために、クランプ部に対してエラストマー部材が望まない移動をするのを防止する。経時的に劣化する恐れのある、したがって、長期間に亘る使用の場合不十分な締め付け特性を呈する可能性のある、接着による接合は必要ない。
【００１０】
本発明のクランプの形状は、クランプをきつく締める、すなわちクランプ部を締め付け位置に据える際に、技術者がエラストマー部材を、好ましくは２つの金属クランプ部の間に締め付ける、ことを考慮したものである。この形状は、エラストマー部材が、経年変化のため、据え付け耐用年数の間に抜け落ちるリスクを大いに減らす。
【００１１】
本発明では、「開位置」という用語は、パネル材が解放される位置をいい、そして／また、「締め付け位置」という用語は、クランプがパネル材を保持している位置をいう。
【００１２】
この用途に適するクランプ部は、金属部品、特にアルミニウム部品である。しかしながら、プラスチックでできたクランプ部でもよい。クランプ部は、特に押し出し成型材であり得る。
【００１３】
エラストマー部材はパネル材を握持するためのＵ型の横断面をもつ領域を備えることが特に好ましい。この実施態様によれば、パネル材の上（表）にあるエラストマー部材は、パネル材の下（裏）にあるエラストマー部材と一体に構成される。したがって、パネル材の下にあるエラストマー部材とともにパネル材の上にあるエラストマー部材は、好ましくはＵ型の領域に隣接する締め付け部を介して固定され得る。追加の接着による接合は、したがって、不必要である。特に、本発明では、エラストマー部材とクランプ部との間の部材接続、特に接着による接合はない。結果として、製造作業がさらに減ることとなる。
【００１４】
さらに、第１のクランプ部がウェブを有し、そのウェブは第１のクランプ部から第２のクランプ部まで延び、締め付け部を締め付けるようにすると都合が良い。このようなウェブは、エラストマー部材と特に小さな接触面をもち、したがって優れた締め付け作用を達成できる。同様な理由により、加えて、あるいは変形例として、第２のクランプ部がウェブを有し、そのウェブが第２のクランプ部から第１のクランプ部まで延び、クランプ部が締め付け位置にあるときに締め付け部を締め付けるようにすることもできる。２つのウェブが設けられる場合、これらのウェブは上下に適切な位置を定められて、２つのクランプ部が垂直方向に相互に調整されて、一対のペンチの顎板のように、ウェブがエラストマー部材を挟み付け、締め付け位置に移動するようにする。
【００１５】
相応して、エラストマー部材は、Ｔ字状の横断面を有する領域を有する。このようなＴ字状の領域は、エラストマー部材とクランプ部との間に確実な接続を形成することを可能とし、それによって、さらにエラストマー部材を固定する。締め付け部の少なくとも１つの部分は、Ｔ字状の領域、特にＴ字状の領域の中央の脚部（leg）にあることが好ましく、この結果、特にコンパクトな配置が得られる。
【００１６】
さらに、好ましい実施態様では、２つのクランプ部は、２つのウェブと共に、エラストマー部材のＴ字状の横断面を有する領域が収容される挿入溝を形成する。この実施態様によれば、ウェブは、エラストマー部材を締め付けるだけでなく、エラストマー部材のＴ字状の領域を確実な結合により保持するのにも役立ち、それにより、クランプの設置サイズは、さらに減らされ得る。
【００１７】
本発明の別の好ましい実施態様によれば、エラストマー部材は、締め付け部の近く、および／またはＴ字状の領域の中央の脚部に、少なくとも１つの穴を有する。このような穴は、締め付け部が締め付けられるときに生じる変形を吸収することができ、特に明確な形状変化を生ずることができる。少なくとも１つの穴が、少なくとも１つのウェブに沿って特に設けられる。これは必要とされる製造作業の観点から、とりわけ利点があり得る。
【００１８】
さらに、本発明によれば、第１のクランプ部分は、特に垂直方向に、第２のクランプ部分に面する少なくとも１つの突出部を有し、第１のクランプ部分に対する第２のクランプ部分の動き、特に垂直運動、を制限する。突出部は、締め付け位置にあるとき、第２のクランプ部分に対して載置される。一方では、このような突出部は、締め付けを制限し、したがって、プレート部材を過負荷から保護する止め具を構成する。他方、突出部は締め付け位置を定めるので、特に信頼性の高い組立てが確実にされる。
【００１９】
本発明の有利な実施態様では、エラストマー部材は弾力のあるリップ部を有する。弾力のあるリップ部は、好ましくはＵ型の横断面を有する領域において配置され、そして好ましくはクランプにあらかじめ張力をかけ、そして／またそれらを保持する。弾力のあるリップ部がクランプ部を開位置に保持するので、クランプの組立ては特に簡単である。弾力のあるリップ部は、エラストマー部材と一体に構成されると好都合であり、それにより必要とされる製造作業は少なくなる。
【００２０】
さらに、ネジが２つのクランプ部を貫通し、クランプをレール、特にＣ型断面のレールに固定するために、このネジがレール・ナットで係止されることが好ましい。この実施態様によれば、ネジがきつく締められると、２つのクランプ部は開位置から締め付け位置になり、クランプがレールに固定され得る。これにより、特にすばやい組立てが可能となる。そのうえ、弾力のあるリップ部は、レール・ナットと、対するレール・ナットに隣接するクランプ部とに、あらかじめ張力を与えることができる。弾力のあるリップ部によって、作用する張力により、クランプが一時的にレールに保持されて、予備組立てのための正しい配置が定められるので、技術者がクランプを保持する必要はもはやない。この為、据付けの際技術者は、レール上のクランプを、レールの溝の中にあるレール・ナットを、それが溝の横方向になるように、そのレール・ナットを９０度回すようにして、設置する。弾力のあるリップ部がネジを介してレール・ナットに作用する張力は、レール上のクランプを一時的に保持するので、技術者は、クランプをそのままにすることができ、パネル材をクランプに挿入するために、両手を使用することができる。ネジをきつく締めることによって、技術者はパネル材をクランプに固定でき、そしてクランプをレール上に恒久的に固定できる。
【００２１】
本発明は、付随する図面に概略的に示される好ましい実施態様に関して、以下説明される。
【図面の簡単な説明】
【００２２】
【図１】開位置にある、本発明のクランプの第１の実施態様の斜視図である。
【図２】締め付け位置にある、図１に示される実施態様の斜視図である。
【図３】締め付け位置にある、図１に示される実施態様の、下から斜めに見た斜視図である。
【図４】開位置にある、本発明のクランプの第２の実施例の斜視図である。
【図５】Ｃ形断面のレールにある、本発明のクランプの概略横断面図である。
【発明を実施するための形態】
【００２３】
本発明のクランプの第１の実施態様は図１〜図３に示される。図１および図２に示される実施態様は、２つのパネル材を固定するための中間のクランプとして構成され、したがって、各々パネル材を保持する２つのエラストマー部材１０、１０´を有する。分かり易くするため、パネル材９０は図２にのみ示されており、かつこのパネル材は第２のエラストマー部材１０´のみが記載されている。
【００２４】
図１のクランプは、基本的にミラー対称形に構成される。それゆえに、図の右側に示されるエラストマー部材１０およびその配置についてのみ、より詳細に説明する。第２のエラストマー部材１０´は、類似の構成、配置となる。
【００２５】
記載されたクランプは第１のクランプ部１および第２のクランプ部２を有する。そして、それらは相互に垂直方向に移動できる。ネジ４０は２つのクランプ部１および２を垂直方向に貫通し、そしてこのネジ４０は２つのクランプ部１および２をきつく締めるのに役立つ。ネジ４０の頭部は、第２のクランプ部２に載置される。ネジは、その軸部で、第１のクランプ部１に隣接して配置されるレール・ナット４１（図３）で係止される。図５に概略的に示すように、レール・ナット４１は、２つのクランプ部１および２をＣ形断面のレール４５に、確実な接続により固定するよう働く。
【００２６】
ネジ４０がきつく締められるときに、図１に示すように、２つのクランプ部１および２は開位置から互に移動でき、図２に示すように、パネル材９０は締め付け位置に置かれ、パネル材９０はエラストマー部材１０、１０´に固定される。同時に、ネジ４０をきつく締めることによって、レール・ナットは、Ｃ形断面のレール４５に固定され得る。
【００２７】
第１のクランプ部１は、ネジ４０と平行して、第２のクランプ部２に垂直方向に延びる２つのウェブの形をした突出部２９を有する。そして、それは第２のクランプ部２のための止め具を構成する。締め付け位置（図２）において、２つの突出部２９は第２のクランプ部２に当接するが、開位置（図１）にある場合には、それらは第２のクランプ部２から少し離れている。
【００２８】
エラストマー部材１０（対称な構成のエラストマー部材１０´も同様）は、Ｕ型の横断面を有する領域１２を有し、それはパネル材９０を挿入するために用意されている。エラストマー部材１０は、Ｕ型の領域１２の横の部分に、パネル材９０のための接触面を構成する波形の構造を備えている。さらに、エラストマー部材１０は、Ｔ字状の横断面を有する領域１７を有する。このＴ字状の領域１７の中央の脚部は、Ｕ型の領域１２の中央の部分に隣接している。
【００２９】
Ｔ字状の領域１７の頭部は、一方では、ウェブの形をした突出部２９によって、そして、他方では、クランプ部２に配置される第２のウェブ２２とともに、クランプ部１に配置される第１のウェブ２１により規定される挿入溝２５に収容される。エラストマー部材１０は、Ｔ字状の領域１７が挿入溝２５に収容されるので、横に抜けることのないよう、確実な接続により固定される。
【００３０】
ウェブ２１および２２は、一方が他方の上になるよう垂直に配置される。図２に示される締め付け位置において、２つのウェブ２１および２２は、Ｔ字状の領域１７の中央の脚部に構成される締め付け部１４でエラストマー部材１０を締め付ける。締め付け部１４が締め付けられるので、エラストマー部材１０は、ウェブ２１および２２の縦方向にすべることのないよう固定され、したがって、クランプ部１および２の縦方向に固定される。しかしながら、クランプ部１および２が図１に示される開位置にある場合、クランプ部１および２のうちの少なくとも１つ、特にウェブ２１および２２のうちの少なくとも１つ、は締め付け部１４から少し離れている（図示した実施例において、少し離れているのはウェブ２２の上部である）。エラストマー部材１０は、したがって解放されて、組立てのためにウェブ２１および２２に沿って移動され得る。
【００３１】
締め付け部１４において、すなわち、Ｔ字状の領域１７の中央の脚部で、エラストマー部材は２つのウェブ２１および２２に沿って延びる穴１９を有する。２つのウェブ２１と２２の間に位置するこの穴１９は、２つのクランプ部１および２によって、締め付け位置において、エラストマー部材１０が締め付けられるときに生じる変形の、少なくともいくらかを吸収することができ、したがって、エラストマー部材１０の望ましくない変形を少なくとも減らすことができる。
【００３２】
２つのクランプ部１および２の各は水平に延びる翼（wing）の領域を有し、その間に２つのエラストマー部材１０および１０´が配置される。
【００３３】
エラストマー部材１０の第２のクランプ部２に面する側に、エラストマー部材１０は、好ましくはウェブ２２に隣接して配置され、そして／またはウェブ２２に沿って設けられ、そして第２のクランプ部２に向けられた、弾力のあるリップ部５を有する。この弾力のあるリップ部５は、中央の脚部からＵ型の領域１２の側面の脚部への移行部分に配置され、第２のクランプ部２をエラストマー部材１０のＵ型の領域１２から間隔をおいて、したがって第１のクランプ部１から間隔をおいて、配置されるように押し出す。弾力あるリップ部５の動作によって、まず第1に、ネジ４０が締められていない限り、クランプ部１および２は開位置に保持される。第２に、弾力のあるリップ部５は、ネジ４０によって、第１のクランプ部１上のレール・ナット４１にあらかじめ張力をかけるので、ネジ４０が締められる前に、レール・ナット４１は一時的にＣ形断面のレール４５に保持されることができ、一時的な保持作用を有する。
【００３４】
本発明のクランプの他の実施態様は図４に示される。図４に示される実施態様は、図１〜図３に示される実施態様と次の点で異なる。すなわち、図４によれば、２つのエラストマー部材１０および１０´に代えて、１つの単一エラストマー部材１０だけが備えられている。それゆえに、図４に示される実施態様は、単一のパネル材を固定するために提供される端部のクランプであるのに対して、図１〜図３に示される実施態様は、２つのパネル材を保持する中間部のクランプである。
【符号の説明】
【００３５】
１  第１のクランプ部
２  第２のクランプ部
５  弾力のあるリップ部
１０  エラストマー部材
１０´  エラストマー部材
１２  領域
１４  締め付け部
１７  領域
１９  穴
２１  ウェブ
２２  ウェブ
２５  挿入溝
２９  突出部
４０  ネジ
４１  レール・ナット
４５  レール
９０  パネル材
【図１】
2012117672.tif 000003
【図２】
2012117672.tif 000004
【図３】
2012117672.tif 000005
【図４】
2012117672.tif 000006
【図５】
2012117672.tif 000007
【外国語明細書】
2012117672.tif 000008
2012117672.tif 000009
2012117672.tif 000010
2012117672.tif 000011
2012117672.tif 000012
2012117672.tif 000013
2012117672.tif 000014
2012117672.tif 000015
2012117672.tif 000016
2012117672.tif 000017
2012117672.tif 000018
2012117672.tif 000019
2012117672.tif 000020
2012117672.tif 000021
2012117672.tif 000022